【手続補正書】
【提出日】平成20年12月31日(2008.12.31)
【手続補正１】
【補正対象書類名】特許請求の範囲
【補正対象項目名】全文
【補正方法】変更
【補正の内容】
【特許請求の範囲】
【請求項１】
自動車あるいは車両の外面の被洗浄面に付着した汚れ等を洗浄する為の洗車機に使用する洗車機用洗浄ブラシのブラシ片において、前記ブラシ片はアイオノマー樹脂を有することを特徴とする洗車機用洗浄ブラシのブラシ片。
【請求項２】
請求項１記載の構成よりなる洗車機用洗浄ブラシのブラシ片において、前記ブラシ片にたいして、前記アイオノマー樹脂がコーティング、バインダー固着、あるいは練り込みされてあることを特徴とする洗車機用洗浄ブラシのブラシ片。
【請求項３】
請求項１又は２に記載の構成よりなる洗車機用洗浄ブラシのブラシ片において、前記ブラシ片は前記アイオノマー樹脂により形成されたアイオノマー樹脂繊維を有する布帛にて形成されてあることを特徴とする洗車機用洗浄ブラシのブラシ片。
【請求項４】
請求項１から３のいずれか１項に記載の構成よりなる洗車機用洗浄ブラシのブラシ片において、前記ブラシ片にたいしてカレンダー成形が施されてあることを特徴とする洗車機用洗浄ブラシのブラシ片。
【請求項５】
請求項１から４のいずれか１項に記載の洗車機用洗浄ブラシのブラシ片を配した洗車機用洗浄ブラシ。
【請求項６】
駆動源と、被洗浄面に散布する洗浄剤及び水を噴出させるノズルと、洗浄後の被洗浄面を乾燥させる乾燥手段を備えると共に、請求項５記載の洗車機用洗浄ブラシを搭載した洗車機。
【手続補正２】
【補正対象書類名】明細書
【補正対象項目名】０００９
【補正方法】変更
【補正の内容】
【０００９】
また、第２の課題解決手段は、前記ブラシ片にたいして、前記アイオノマー樹脂がコーティング、バインダー固着、あるいは練り込みされてあるものである。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
また、第４の課題解決手段は、前記ブラシ片にたいしてカレンダー成形が施されてある構成としたものである。
【手続補正５】
【補正対象書類名】明細書
【補正対象項目名】００１３
【補正方法】変更
【補正の内容】
【００１３】
また、第５の課題解決手段は、上記第１の課題解決手段から第４の課題解決手段のいずれか１項に記載の洗車機用洗浄ブラシのブラシ片を配した洗車機用洗浄ブラシとしたものである。
【手続補正６】
【補正対象書類名】明細書
【補正対象項目名】００１４
【補正方法】変更
【補正の内容】
【００１４】
また、第６の課題解決手段は、上記第５の課題解決手段に記載の洗車機用洗浄ブラシを搭載した洗車機としたものである。
【手続補正７】
【補正対象書類名】明細書
【補正対象項目名】００１６
【補正方法】変更
【補正の内容】
【００１６】
また、第２の課題解決手段による作用は、前記ブラシ片にたいして、前記アイオノマー樹脂がコーティング、バインダー固着、あるいは練り込みされてある為、アイオノマー樹脂は界面活性剤等の乳化剤が使用されていないので、ブラシ片の含水率が抑えられる。また、アイオノマー樹脂は分子間にイオン橋架け結合が形成されてあり、分子間の結合力が強いので、耐ストレスクラッキング性に優れたブラシ片が得られる。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
また、第４の課題解決手段による作用は、前記ブラシ片にたいしてカレンダー成形が施されてある為、ブラシ片の厚みが薄くなり、空隙が減少すると共に、熱エンボスロール等により圧延され、部分熱圧着されていないので、ブラシ片が硬くなることが無い。
【手続補正１０】
【補正対象書類名】明細書
【補正対象項目名】００２０
【補正方法】変更
【補正の内容】
【００２０】
また、第５の課題解決手段による作用は、上記第１の課題解決手段から第４の課題解決手段のいずれか１項に記載の洗車機用洗浄ブラシのブラシ片を配した洗車機用洗浄ブラシである為、含水により、ブラシ片の毛腰が弱くなることが無く、且つブラシ片同士が水により付着しながら洗車中に回転することが無く、ブラシ片は被洗浄面にたいして均一に当接する。
【手続補正１１】
【補正対象書類名】明細書
【補正対象項目名】００２１
【補正方法】変更
【補正の内容】
【００２１】
また、第６の課題解決手段による作用は、上記第５の課題解決手段に記載の洗車機用洗浄ブラシを搭載した洗車機である為、含水により、洗車機用洗浄ブラシの重量が重くなることが無く、前記洗車機用洗浄ブラシの安定した回転駆動が長期間に渡って持続する。
【手続補正１２】
【補正対象書類名】明細書
【補正対象項目名】００２４
【補正方法】変更
【補正の内容】
【００２４】
第２の発明は、前記ブラシ片にたいして、前記アイオノマー樹脂がコーティング、バインダー固着、あるいは練り込みされてある為、アイオノマー樹脂は界面活性剤等の乳化剤が使用されていないので、ブラシ片の含水率が抑えられる。その為、ブラシ片の凍結防止性能が大幅に向上する。また、前記アイオノマー樹脂がコーティングされてある場合においては、ブラシ片に均一に付着させることができ、バインダー固着されてある場合においては、バインダーを介して強固に付着させることができ、練り込みされてある場合においては、バインダー等を使用することなく強固に付着させることができる。また、アイオノマー樹脂は分子間にイオン橋架け結合が形成されてあり、分子間の結合力が強いので、耐ストレスクラッキング性に優れたブラシ片が得られる。その為、ブラシ片の亀裂を防ぐことができる。
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】変更
【補正の内容】
【００２７】
第４の発明は、前記ブラシ片にたいしてカレンダー成形が施されてある為、ブラシ片の厚みが薄くなり、空隙が減少すると共に、熱エンボスロール等により圧延され、部分熱圧着されていないので、ブラシ片が硬くなることが無い。その為、ブラシ片の凍結防止性能が飛躍的に向上すると共に、被洗浄面に傷を付けることが無い。
【手続補正１５】
【補正対象書類名】明細書
【補正対象項目名】００２８
【補正方法】変更
【補正の内容】
【００２８】
第５の発明は、上記第１の発明から第４の発明のいずれか１項に記載の洗車機用洗浄ブラシのブラシ片を配した洗車機用洗浄ブラシである為、含水により、ブラシ片の毛腰が弱くなることが無く、且つブラシ片同士が水により付着しながら洗車中に回転することが無く、ブラシ片は被洗浄面にたいして均一に当接する。その為、ブラシ片の毛腰を強く設定することができると共に、均一に当接できるので、洗い残しの無い、高い洗浄性を有する洗車機用洗浄ブラシを提供することができる。また、前記洗車機用洗浄ブラシのブラシ片の使用枚数、及び台座上の溝部の間隔等を調整することにより、ブラシ片を被洗浄面に連続的に当てることができるので、洗車時における被洗浄面にたいするブラシ片の接触音を低減させることがきる。
【手続補正１６】
【補正対象書類名】明細書
【補正対象項目名】００２９
【補正方法】変更
【補正の内容】
【００２９】
第６の発明は、上記第５の発明に記載の洗車機用洗浄ブラシを搭載した洗車機である為、含水により、洗車機用洗浄ブラシの重量が重くなることが無く、前記洗車機用洗浄ブラシの安定した回転駆動が長期間に渡って持続する。その為、駆動源にたいする負荷が軽減されると共に、洗車機用洗浄ブラシにたいするメンテナンスの軽減を図ることができる。また、洗車機用洗浄ブラシは、互いのブラシ片が水により付着することなく、被洗浄面にたいして均一に当接する為、高い洗浄性を有する洗車機を提供することができる。